(57)【要約】【課題】  上扉の洗浄槽開口面に対する垂直方向の移動距離を大きくすることを可能にし、上扉と洗浄槽間のシール性能を向上させることができる食器洗浄機を得る。【解決手段】  洗浄槽２の開口部３を開閉する複数の扉体の連動開閉機構１０であって、この連動開閉機構１０が、下扉５の開閉動作に連動して開閉する上扉４を洗浄槽２の開口面２２に対してほぼ垂直方向に移動させる連動手段として、第１のリンク１１および第２のリンク１２を有し、第１のリンク１１に下扉５の下扉アーム１４を連結し、第２のリンク１２に上扉４の支持アーム１８を連結する。【選択図】        図５
2006255277.tif 000002
【特許請求の範囲】
【請求項１】
洗浄槽の開口部を開閉する複数の扉体の連動開閉機構であって、この連動開閉機構が、一方の扉体の開閉動作に連動して開閉する他方の扉体を前記洗浄槽の開口面に対してほぼ垂直方向に移動させる連動手段を有することを特徴とする食器洗浄機。
【請求項２】
洗浄槽の開口部を開閉する複数の扉体の連動開閉機構と、一方の扉体の開閉動作に連動して開閉する他方の扉体と前記洗浄槽との間に互いに嵌合する凸状部と凹状部とからなるシール部と備え、前記連動開閉機構が、前記シール部の凸状部と凹状部とを開離および嵌合する方向に前記他方の扉体を移動させる連動手段を有することを特徴とする食器洗浄機。
【請求項３】
開口部を有する洗浄槽と、この洗浄槽の開口部を開閉する複数の扉体と、一方の扉体の開閉動作に連動して他方の扉体を開閉させる連動手段とを備え、この連動手段により連動する前記他方の扉体の開放時の軌道が、前記洗浄槽の開口面に対してほぼ垂直方向に移動する第１の移動成分と、前記開口面にほぼ平行な方向に移動する第２の移動成分とを有することを特徴とする食器洗浄機。
【請求項４】
開口部を有する洗浄槽と、この洗浄槽の開口部を開閉する複数の扉体と、一方の扉体の開閉動作に連動して他方の扉体を開閉させる連動手段と、前記他方の扉体と前記洗浄槽との間に互いに嵌合する凸状部と凹状部とからなるシール部とを備え、前記連動手段により連動する前記他方の扉体の開放時の軌道が、前記シール部の凸状部と凹状部とを開離する方向に移動する第１の移動成分と、前記洗浄槽の開口面にほぼ平行な方向に移動する第２の移動成分とを有することを特徴とする食器洗浄機。
【請求項５】
前記連動手段は、前記一方の扉体に回転自在に連結された第１のリンクと、この第１のリンクおよび前記洗浄槽に回転自在に連結された第２のリンクとを備え、この第２のリンクに前記他方の扉体の支持アームを回転自在に連結するとともに、前記支持アームと第２のリンクとのなす角度が、扉体閉鎖時よりも扉体開放時の方が大きくなるように連結してなることを特徴とする請求項１乃至４のいずれかに記載の食器洗浄機。
【請求項６】
前記連動手段は、前記一方の扉体に回転自在に連結された第１のリンクと、この第１のリンクおよび前記洗浄槽に回転自在に連結された第２のリンクと、前記他方の扉体を閉鎖方向に付勢する付勢手段とを備え、前記第２のリンクに前記他方の扉体の支持アームを回転自在に連結するとともに、前記支持アームと第２のリンクとのなす角度が、扉体閉鎖時よりも扉体開放時の方が大きくなるように連結してなることを特徴とする請求項１乃至４のいずれかに記載の食器洗浄機。
【請求項７】
前記連動手段は、前記一方の扉体に回転自在に連結された第１のリンクと、この第１のリンク及び前記洗浄槽に回転自在に連結された第２のリンクと、前記他方の扉体を閉鎖方向に付勢する付勢手段と、前記洗浄槽に回転自在に枢着され、前記他方の扉体の支持アームに前記付勢手段を介して連結された第３のリンクと、前記第２のリンクに設けられ、前記第３のリンクに当接する荷重部とを備え、前記第２のリンクに前記他方の扉体の支持アームを回転自在に連結するとともに、前記支持アームと第２のリンクとのなす角度が、扉体閉鎖時よりも扉体開放時の方が大きくなるように連結してなることを特徴とする請求項１乃至４のいずれかに記載の食器洗浄機。
【請求項８】
前記凸状部と凹状部とからなるシール部は、前記他方の扉体および前記洗浄槽の上辺部に設けられていることを特徴とする請求項２または４記載の食器洗浄機。
【請求項９】
前記凸状部と凹状部とからなるシール部は、扉体閉鎖時、前記凸状部が密着するシール部材が前記凹状部の中に装着された構成となっていることを特徴とする請求項８記載の食器洗浄機。
【請求項１０】
開口部を有する洗浄槽と、この洗浄槽の開口部を開閉する複数の扉体と、一方の扉体の開閉動作に連動して他方の扉体を開閉させる連動手段と、前記他方の扉体に設けられた複数段の第１および第２の扉側凸状部と、前記第１の扉側凸状部と第２の扉側凸状部との間に嵌合する前記洗浄槽に設けられた洗浄槽側凸状部と、この洗浄槽側凸状部の上段位置に装着され前記第２の扉側凸状部が密着するシール部材とを備えたことを特徴とする食器洗浄機。
【請求項１１】
請求項１０記載の食器洗浄機において、請求項５乃至７のいずれかに記載の連動手段を有することを特徴とする食器洗浄機。
【請求項１２】
前記第１および第２の扉側凸状部と前記洗浄槽側凸状部は、それぞれ前記他方の扉体および前記洗浄槽の上辺部に設けられていることを特徴とする請求項１０記載の食器洗浄機。
【発明の詳細な説明】
【技術分野】
【０００１】
本発明は、食器洗浄機に関し、特に、複数の扉体を連動して開閉する連動開閉機構および扉体と洗浄槽間のシール構造に関する。
【背景技術】
【０００２】
食器洗浄機（あるいは食器洗浄乾燥機）は、汚れた食器類を食器かご内に入れ、これを食器洗い機本体の洗浄槽内にセットし、洗浄水をノズルから噴射することにより汚れた食器類を洗浄するものである。したがって、洗浄中は、洗浄槽の開口部は扉体で固く閉じられており、洗浄水の水漏れがないように洗浄槽と扉体の間にはシール部材が装着されている。
卓上型の食器洗浄機の場合、一般に複数の扉体で構成されており、扉体を閉めたときには扉体どうしもシールするようになっている。また、複数の扉体を一つの操作（一般には下扉の開閉操作）で連動させて開閉する連動機構がとられている（例えば、特許文献１、２、３参照）。
【０００３】
特許文献１では、扉体の連動機構として、上扉の支持アームと下扉の支持アームとを連動用のリンクで連結する構成であり、下扉の開操作により連動用リンクが上扉を支持アームの支点を中心に上方へ回転させるようになっている。したがって、上扉の開閉動作の軌道は上扉の支持アームの支点を中心に回転する円弧軌道となる。そのため、上扉は洗浄槽の開口面に対して斜め上方に移動することになり、垂直方向にはほとんど移動しない構成となっている。特に、上扉の上辺部は上扉支持アームの支点との距離（回転半径）が短いため、この上辺部におけるシール性（水密性）が問題となる。
【０００４】
特許文献２に示される扉体の連動機構は、上扉を長短２つのリンク、すなわち、上扉の側面の上方部分を短いリンクで、側面の下方部分を長いリンクで回転自在に支持し、この長い方のリンクに下扉の支持アームに一端部を枢着した連動用リンクの他端部を枢着して連結する構成である（なお、上扉の開放を下扉よりも遅らせるために、連動用リンクと長い方のリンクとの連結部に軸と長穴による遊びを設けている）。したがって、この連動機構では、上扉は長短２つのリンクにより楕円軌道で開閉し、しかも上扉の上辺部は長さの短いリンクで規制されるため、上辺部のシール性については特許文献１と同様の問題がある。
【０００５】
特許文献３では、上扉の開閉機構を、上扉の支持アームに設けられたカムフォロア（あるいは凸部）と、このカムフォロアが係合するカム溝とにより構成したもので、扉の連動機構としては下扉の支持アームと上扉の支持アームとにワイヤを引き回す構成である。上記のカムフォロアが係合するカム溝は、洗浄槽の側面の中間部から上部にかけて、洗浄槽の開口面にほぼ平行に設けられているので、この上扉の開閉機構でも、上扉は洗浄槽の開口面に対して斜め上方に移動するため、上辺部のシール性については特許文献１と同様の問題がある。
【０００６】
【特許文献１】特開平２００３−１７４９９２号公報（第３、４頁、図１、図２）
【特許文献２】特開平２００２−２１９０８３号公報（第４、５頁、図１−図４）
【特許文献３】特開平２００３−１８０５９５号公報（第３−６頁、図１、図２）
【発明の開示】
【発明が解決しようとする課題】
【０００７】
従来の食器洗浄機は、上述したように、上扉の洗浄槽開口面に対する垂直方向の移動距離がきわめて小さいものである。そのため、特に上辺部における上扉と洗浄槽間のシール性能を十分に確保することが難しく、しばしば食器洗浄機本体の天板部に水が滲み出るという問題があった。
【０００８】
本発明は、上記のような課題を解決するためになされたもので、上扉の洗浄槽開口面に対する垂直方向の移動距離を大きくすることを可能にし、上扉と洗浄槽間のシール性能を向上させることができる食器洗浄機を得ることを目的とする。
【課題を解決するための手段】
【０００９】
本発明に係る食器洗浄機は、洗浄槽の開口部を開閉する複数の扉体の連動開閉機構であって、この連動開閉機構が、一方の扉体の開閉動作に連動して開閉する他方の扉体を前記洗浄槽の開口面に対してほぼ垂直方向に移動させる連動手段を有することを特徴とするものである。
また、前記他方の扉体と前記洗浄槽との間に互いに嵌合する凸状部と凹状部とからなるシール部が設けられ、前記連動手段は、前記シール部の凸状部と凹状部とを開離および嵌合する方向に前記他方の扉体を移動させるものである。
【発明の効果】
【００１０】
本発明によれば、連動開閉機構が、一方の扉体の開閉動作に連動して開閉する他方の扉体を洗浄槽の開口面に対してほぼ垂直方向に移動させる連動手段を有する構成としたので、他方の扉体と洗浄槽との間に、凸状部と凹状部とからなるシール部をラビリンス状に形成することが可能となるため、特に上扉と洗浄槽間の上辺部におけるシール性能を大幅に向上させることができるという効果を有する。
【発明を実施するための最良の形態】
【００１１】
以下、本発明の実施の形態を図面に基づいて説明する。
【００１２】
実施の形態１．
図１は本発明の実施の形態１を示す食器洗浄機の扉閉鎖状態の外観斜視図、図２は扉開放状態の外観斜視図、図３は食器洗浄機の右側面図である。
【００１３】
図１ないし図３において、この食器洗浄機の本体（食器洗浄機本体）１は、内部に食器類を洗浄するための洗浄槽２を有する。食器類は図示しない食器かごに収納されて、その食器かごを洗浄槽２の前面側に開口する開口部３から出し入れするようになっている。
洗浄槽２の開口部３は、複数の扉体、すなわちこの例では上扉４と下扉５によって閉鎖および開放状態にされる。このように扉体を複数個に分割することにより、各扉体の開閉動作の範囲を小さくすることができるので、狭いスペースでも食器洗浄機の設置が可能となる。
【００１４】
洗浄槽２の開口部３は、一般に、正面からみて四角形状に形成され、側面からみて開口面の上方部分がやや後方に傾斜した滑らかな曲面形状に開口面が形成されている。この開口部３の周囲の各辺には後述するようにゴムからなるシール部材が装着され、また上扉４と下扉５の合わせ部にもシール部材が装着され、扉閉鎖時の水密性が保たれている。
【００１５】
上扉４（他方の扉体）は、下扉５（一方の扉体）に比べて縦方向の長さが多少小さく形成され、後述する連動手段によって上方へ回転して開くようになっている。この上扉４の開閉軌道については後で詳しく説明する。下扉５は、正面の手前側にほぼ９０゜回転して開くようになっている。
下扉５には扉のロックを解除するための扉ロック解除ボタン６が設けられており、下扉５の左右両側には扉ロック解除ボタン６を押すことによってロックを解除する方向に動作するロック爪７が設けられている。このロック爪７は開口部３の前面の両側に設けられたロックガイド８に挿入し、内部の図示しない係合部に係合して扉をロックするようになっている。
【００１６】
次に、この実施の形態における連動手段を有する扉の連動開閉機構について詳細に説明する。なお、連動扉開閉機構は洗浄槽２の左右両側面にそれぞれ設けられているが、同一の構成であるので、ここでは右側について示す。
図４は食器洗浄機の外カバーを取り外した状態を右側面からみた内部構造図で、（ａ）は扉閉鎖時、（ｂ）は扉開放時の状態を示している。図５は扉と連動開閉機構のみを取り出して示した動作説明図で、（ａ）は扉閉鎖時の動作説明図、（ｂ）は上扉および下扉の開放途中状態を示す動作説明図である。図６（ａ）〜（ｄ）は図４、図５に示される扉の連動開閉機構の動作を模式的にあらわした動作説明図である。
【００１７】
図４ないし図６に示すように、扉の連動開閉機構１０は、リンク機構により構成されており、上扉４と下扉５の連動手段として、第１のリンク１１および第２のリンク１２を備えている。
下扉５は、洗浄槽２の下部に回転支点１３（図５、図６参照）で回転自在に枢支されており、さらに下扉５と一体に下扉アーム１４が形成されている。この下扉アーム１４の先端部に上記第１のリンク１１の下端部が支点１５で回転自在に連結されている。第１のリンク１１の上端部には第２のリンク１２の先端部が支点１６で回転自在に連結され、第２のリンク１２の基端部は洗浄槽２の側面（あるいは洗浄槽の側面に取り付けられる取付板）に支点１７で回転自在に連結されている。そして、上扉４に一体に設けられた上扉支持アーム１８が第２のリンク１２に支点１９で回転自在に連結されている。なお、第２のリンク１２には扉開放時に上扉４が自重によりフリーに下降しないように規制するストッパ２０が設けられている。
【００１８】
また、図６において、２１は洗浄槽２の天井部（または食器洗浄機本体１の天板部）であり、洗浄槽天井部２１の前面、すなわち洗浄槽２の開口面２２（図５参照）の上辺部と、これに対面する上扉４の上辺部には、ラビリンス状に形成された凹状部２３と、これに嵌合する凸状部２４が設けられてシール部２５を構成している。凹状部２３および凸状部２４は、図示とは反対に上扉４側に凹状部２３を、洗浄槽２側に凸状部２４を設けてもよい。また、凹状部２３および凸状部２４は、少なくとも洗浄槽２と上扉４の各上辺部に設けることが好ましい。
【００１９】
ここで、扉の連動開閉機構１０の動作を説明する前に、食器洗浄機の基本的な動作について概略説明する。
【００２０】
食器洗浄機の動作は、一般的に食器類の洗浄工程、すすぎ工程、乾燥工程の順に実行される。
洗浄工程では、給水手段（図示せず）により水を洗浄槽２内に一定量給水し、さらに食器類の汚れを分解して落とすための洗剤を洗浄槽２内に入れる。洗浄水はシーズヒータ等の発熱体で一定温度に昇温される。この洗浄水を洗浄ポンプ（図示せず）により吸い込んで、洗浄ノズル（図示せず）へ送水し、洗浄ノズルの孔より食器類へめがけて噴射することにより食器類の汚れを洗い落とす。噴射した洗浄水は洗浄槽２の中に落下して戻り、再び洗浄ポンプに吸い込まれて洗浄水を循環しながら噴射を繰り返す。一定時間洗浄ポンプを稼働した後、洗浄槽２の内部の水は、排水口（図示せず）より外部の下水などへ排水される。
【００２１】
すすぎ工程は、食器類に付着した洗剤や汚水をすすぎ洗いする目的で行うものであり、洗い動作それ自体は洗浄工程と変わらない。すすぎ工程では、洗剤を入れた上記の洗浄水を洗浄槽２から全部排水した後、きれいな水を給水してその水を洗浄ノズルより噴射することにより食器類をすすぎ洗いする。
この水の給水→一定時間の循環噴射→排水を通常２〜４回程度行うことで食器類の洗浄と、すすぎが行われる。
【００２２】
そして、最後に送風機（図示せず）により温風あるいは室温の風を食器類に当てて食器類を乾燥する。乾燥用空気は洗浄槽２の天井部に設けられた排気孔（図示せず）より外部へ排気される。
【００２３】
次に、扉の連動開閉機構１０の動作について、主に図６を参照して説明する。
まず、上扉４、下扉５が図６（ａ）のように閉じた状態から、図６（ｂ）のように下扉５を開く。下扉５は、扉ロック解除ボタン６を押すことによりロック爪７のロックが解除されるので、下方へ回転して開くことができる。すなわち、下扉５は回転支点１３を中心に矢印５１の方向に回転し、これに伴い下扉５と一体に形成された下扉アーム１４も回転支点１３を中心に上方へ回転する。下扉アーム１４が上方へ回転すると、下扉アーム１４に連結された第１のリンク１１が矢印５２で示す上方へ押し上げられる。これによって、第１のリンク１１に連結された第２のリンク１２が支点１７を中心に矢印５３で示す上方へ回転する。
【００２４】
さらに、第２のリンク１２が上方へ回転することにより、上扉４と一体に形成された上扉支持アーム１８が支点１９で第２のリンク１２に連結されているので、上扉支持アーム１８と第２のリンク１２とのなす角度θ１が図６（ｂ）に示すように角度θ２になるまで上扉支持アーム１８は支点１９を中心に矢印５４で示す下方へ回転する。なお、上扉支持アーム１８と第２のリンク１２はストッパ２０により角度θ２以上の回転が生じないように保持される。
【００２５】
すなわち、上扉支持アーム１８と第２のリンク１２とのなす角度は、上扉４、下扉５を完全に閉じた状態（図６（ａ））のときの角度θ１よりも、上扉４、下扉５が少し開いた状態（図６（ｂ））のときの角度θ２の方が若干大きくなる。このように、上扉アーム１８と第２のリンク１２とのなす角度が増加することで、上扉４は、図６（ｂ）、（ｄ）のように、開口面２２に対してほぼ垂直の方向（矢印５５）に移動して開離する。そのため、上扉４の上辺部に設けられた凸状部２４が洗浄槽天井部２１の前面（開口部３の上辺部）に設けられた凹状部２３より開離する。これによって、凸状部２４と凹状部２３との嵌合が外れる。
【００２６】
下扉５がさらに回転が進むと、第２のリンク１２が第１のリンク１１により押し上げられるため、図６（ｃ）に示すように、上扉支持アーム１８と第２のリンク１２は角度θ２を保持しつつ一体的に支点１７を中心に矢印５６で示す上方へ大きく回転する。これにより、上扉４は食器洗浄機本体１の天板部上に回転して位置することになり、下扉５は下方へほぼ９０゜回転して開くことになる。
下扉５を閉じるときは上記と逆の動作となる。
【００２７】
この実施の形態１の食器洗浄機では、扉の連動開閉機構１０が、上述のように、下扉５の開閉動作に連動する第１のリンク１１に第２のリンク１２を連結し、さらにこの第２のリンク１２に上扉アーム１８を連結する構成となっているので、上扉４の開閉動作の軌道は、開口面２２に対してほぼ垂直な方向に移動する第１の移動成分（矢印３５で示す成分）と、ついで開口面２２にほぼ平行な方向に移動する第２の移動成分（矢印５６で示す成分）とを有する。この第１の移動成分により、開口面２２にほぼ垂直方向の移動距離を大きくとることができるので、上扉４と洗浄槽２とのシール構造（シール部２５）を、例えばラビリンス状に深い溝を持つ凹状部２３と凸状部２４により構成することができる。
【００２８】
したがって、扉閉鎖時、凹状部２３と凸状部２４とを嵌合させて上扉４を閉鎖することにより、洗浄槽２内の食器類などに衝突して飛散する水が、たとえこれらの凹状部２３と凸状部２４とからなるシール部２５に直撃しても、凹状部２３と凸状部２４間の隙間で水の勢いが減殺されるため、この隙間から水が天板上に滲み出るようなことはない。
よって、上扉４と洗浄槽２間の水密性、特に開口部３の上辺部における水密性を大幅に向上させることができる。
【００２９】
また、開口面２２に対する垂直方向の移動距離が大きいことから、ゴムからなるシール部材（図示せず）を十分に押し付けることができるため、上記シール部２５をこのようなシール部材で構成するだけでも十分な水密性を発揮させることができる。
さらに、上記シール部材を凹状部２３の中に装着することにより、シール部２５を構成した場合には、更なる水密性の向上が実現できる。
【００３０】
また、上に例示したシール部２５の構成によれば、洗浄槽２の天井部２１すなわち食器洗浄機本体１の天板部の厚さをより薄くすることも可能であるので、洗浄槽２の容積を大きくできるほか、食器洗浄機の小型・軽量化、コスト低減など波及効果が大きいものである。
【００３１】
実施の形態２．
図７は本発明の実施の形態２を示す食器洗浄機の外カバーを取り外した状態を右側面からみた内部構造図で、（ａ）は扉閉鎖時、（ｂ）は扉開放時の状態を示している。図８（ａ）〜（ｃ）は図７に示される扉の連動開閉機構の動作を模式的にあらわした動作説明図、図９は扉閉鎖時の力の釣り合い関係を示す説明図である。
【００３２】
この実施の形態２における扉の連動開閉機構１０Ａは、前述の連動開閉機構１０に次の部材、部分を付加して構成されている。すなわち、洗浄槽２の側面（あるいは洗浄槽の側面に取り付けられる取付板）に支点２６で枢着される第３のリンク２７と、上扉４を閉鎖方向に付勢するように第３のリンク２７と上扉支持アーム１８とを連結する引っ張りばね２８（付勢手段の一例）とが付加されている。また、第２のリンク１２はＴ字状に形成されており、このＴ字状の脚部分を第３のリンク２７と上扉支持アーム１８の間に一定の荷重を負荷する荷重部２９となし、摺動部材３０を介して第３のリンク２７に当接させている。上扉支持アーム１８は長く伸びており、その中間部を支点１９により第２のリンク１２に連結されている。そして上記の引っ張りばね２８は、第２のリンク１２の先端部と第３のリンク２７の先端部の間に装着されている。その他の構成は実施の形態１と同様であるので、同一符号を付して説明は省略する。
【００３３】
次に動作について説明する。なお、食器洗浄機の基本的な動作は実施の形態１と同様であるので説明は省略し、この実施の形態２の連動開閉機構１０Ａに特有の動作について説明する。
【００３４】
まず、上扉４、下扉５が図８（ａ）のように閉じた状態から、図８（ｂ）のように下扉５を開く。下扉５は扉ロック解除ボタン６を押すことによりロック爪７のロックが解除されるので、下方へ回転して開くことができる。すなわち、下扉５は回転支点１３を中心に矢印５１の方向に回転し、これに伴い下扉５と一体に形成された下扉アーム１４も回転支点１３を中心に上方へ回転する。下扉アーム１４が上方へ回転すると、下扉アーム１４に連結された第１のリンク１１が矢印５２で示す上方へ押し上げられる。これによって、第１のリンク１１に連結された第２のリンク１２が支点１７を中心に矢印５３で示す上方へ回転する。
【００３５】
さらに、第２のリンク１２が上方へ回転することにより、上扉４と一体に形成された上扉支持アーム１８が支点１９で第２のリンク１２に連結されているので、上扉支持アーム１８と第２のリンク１２とのなす角度θ１が図８（ｂ）に示すように角度θ２になるまで上扉支持アーム１８は支点１９を中心に矢印５４で示す下方へ回転する。なお、上扉支持アーム１８と第２のリンク１２はストッパ２０により角度θ２以上の回転が生じないように保持される。
【００３６】
すなわち、上扉支持アーム１８と第２のリンク１２とのなす角度は、上扉４、下扉５が完全に閉じられた状態（図８（ａ））のときの角度θ１よりも、上扉４、下扉５が少し開いた状態（図８（ｂ））のときの角度θ２の方が若干大きくなる。このように、上扉アーム１８と第２のリンク１２とのなす角度が増加することで、上扉４は、図８（ｂ）のように、開口面２２（図７参照）に対してほぼ垂直の方向（矢印５５）に移動して開離する。そのため、上扉４の上辺部に設けられた凸状部２４が洗浄槽天井部２１の前面（開口部３の上辺部）に設けられた凹状部２３より開離する。これによって、凸状部２４と凹状部２３との嵌合が外れる。
【００３７】
また、第２のリンク１２が上方へ回転すると、第３のリンク２７は矢印５７の方向に回転し、荷重部２９が第３のリンク２７に与えていた引っ張りばね２８による荷重が減少していく。そして、第３のリンク２７に荷重が残っている間は摺動部材３０が第３のリンク２７に摺接し、荷重がゼロになると、図８（ｃ）に示すように、荷重部２９は第３のリンク２７から離間する。
【００３８】
下扉５がさらに回転が進むと、第２のリンク１２が第１のリンク１１により押し上げられるため、図８（ｃ）に示すように、上扉支持アーム１８と第２のリンク１２は角度θ２を保持しつつ一体的に支点１７を中心に矢印５６で示す上方へ大きく回転する。これにより、上扉４は食器洗浄機本体１の天板部上に回転して位置することになり、下扉５は下方へほぼ９０゜回転して開くことになる。
下扉５を閉じるときは上記と逆の動作となる。
【００３９】
次に、第３のリンク２７、荷重部２９、引っ張りばね２８の力の釣り合いについて、図９を参照して説明する。
図９は、扉が閉まった状態を示す。この状態で第２のリンク１２の荷重部２９は、Ｐの力で第３のリンク２７を下方へ押し下げ、第３のリンク２７は支点２６を中心に下方へ回転する。このとき、第３のリンク２７に連結された引っ張りばね２８を引っ張る。同時に、引っ張りばね２８は、上扉支持アーム１８を引っ張るために支点１９を中心に上扉４を上方へ回転させる。このため、引っ張りばね２８にはＴの張力が作用する。
上扉４が上方へ回転すると、上扉４と洗浄槽天井部２１の間に設けられた凸状部２４と凹状部２３とからなるシール部２５が嵌合し接触することになる。したがって、シール部２５にはＦの接触力が働くことになる。そして、上扉４と洗浄槽天井部２１の間に設けられたシール部２５が嵌合・接触した状態では、荷重部２９の押し下げ力Ｐと、さらに上扉４の重量荷重（重力）Ｗは引っ張りばね２８に蓄えられ釣り合い状態となる。
したがって、上扉４と洗浄槽天井部２１の間に設けられたシール部２５に発生するガタを無くすことができる。すなわち、第３のリンク２７および引っ張りばね２８は、シール部２８のガタを吸収する働きをする。
【００４０】
この実施の形態２の食器洗浄機における扉の連動開閉機構１０Ａによれば、扉閉鎖時に、上扉４と洗浄槽天井部２１の間に設けられたシール部２５に発生するガタを無くすことができるので、水密性がさらに向上する。
一方、扉開放時の上扉４の開放初期において、シール部２５の嵌合が外れたときには、第３のリンク２７に対する第２のリンク１２の荷重部２９の押し付け力が減少しゼロになって、荷重部２９が第３のリンク２７より開離するので、上扉４の閉鎖方向の付勢力がなくなり、そのため上扉４の開放を実施の形態１と同様に円滑に行わせることができる。
【００４１】
また、図示は省略するが、第３のリンク２７、引っ張りばね２８に代えて、上扉支持アーム１８と第２のリンク１２との間に、支点１９を間にして上扉４を閉鎖方向に付勢する引っ張りばね（付勢手段の一例）を取り付けることもできる。但し、この引っ張りばねは、例えば図６で説明すると、図６（ｂ）のように上扉４の開放初期のとき、支点１９がばね中心線上もしくはばね中心線を若干超えた位置に来るように取り付けることが好ましい。このように引っ張りばねを取り付けることにより、図６（ｃ）のように上扉４が全開する際、引っ張りばねの張力が上扉４の閉鎖方向には働かないので、実施の形態１と同様に上扉４の開放を円滑に行わせることができる。
【００４２】
実施の形態３．
図１０（ａ）は本発明の実施の形態３を示す食器洗浄機の扉の連動開閉機構を右側面からみた模式図で、（ｂ）はシール部の部分詳細図である。
この実施の形態３では、扉の連動開閉機構１０Ａは実施の形態２と同一であるので、同一符号を付して説明は省略する。
ここでは、上扉４と洗浄槽天井部２１の間に設けられるシール部２５が、次のように構成されている。すなわち、上扉４の上辺部に第１の扉側凸状部３１とその上段位置に第２の扉側凸状部３２が設けられる。一方、洗浄槽天井部２１の前面上部すなわち開口部３の上辺部には、扉閉鎖時、第１の扉側凸状部３１と第２の扉側凸状部３２の間に嵌合する洗浄槽側凸状部３３が設けられる。さらに、この洗浄槽側凸状部３３の上段位置に第２の扉側凸状部３２が密着するゴム材料からなるシール部材３４が装着される。
また、洗浄槽側凸状部３３の下面に、少なくとも１つ、好ましくは複数の水落とし用突起３５が設けられている。
【００４３】
次に動作について詳細に説明する。下扉５、上扉４の開閉動作は実施の形態２に記載の通りで、上扉４は洗浄槽天井部２１の前面に嵌合してラビリンス状のシール部２５を形成する。この上扉４と洗浄槽天井部２１の前面が嵌合し、食器洗浄機の基本的な動作をしている時、第１の扉側凸状部３１は、図示していない噴射口から噴射される水が上扉４の洗浄槽側内面に沿って上昇してくる水４１をせき止める障壁となる。第２の扉側凸状部３２は、シール部材３４に密着して、第１の扉側凸状部３１の障壁を超えて入り込む水しぶきが外に漏れることを防ぐ。水落とし用突起３５は、図示していない噴射口から噴射される水が洗浄槽天井面に衝突して向きを変えて天井面に沿って流れてくる水４２をせき止めて落下させる障壁となる。
【００４４】
この実施の形態３の食器洗浄機によれば、上扉４に第１の扉側凸状部３１とその上段位置に第２の扉側凸状部３２を設け、洗浄槽２にこれらの扉側凸状部３１、３２の間に嵌合する洗浄槽側凸状部３３を設け、さらにその上段位置に第２の扉側凸状部３２が密着するシール部材３４を装着したシール構造としたので、特に上扉４と洗浄槽２の上辺部における水のシール性を大幅に向上することができ、食器洗浄機本体１の天板部に水が滲み出るような事態を防ぐことができる。
さらに、洗浄槽側凸状部３３の下面に少なくとも１つ水の流れを止める障壁となる突起３５を設けることにより、水しぶきの進入を減らすことができるため、更なる水のシール性の向上が可能となる。
【００４５】
実施の形態４．
図１１は本発明の実施の形態４を示す食器洗浄機の正面図、図１２は図１１のＡ−Ａ断面図、図１３は図１１のＢ−Ｂ断面図、図１４および図１５はそれぞれ図１２のＣ、Ｄ部の拡大断面図、図１６は図１３のＥ部の拡大断面図、図１７は図１２のＦ部の拡大断面図である。
この実施の形態４では、主に上扉４および下扉５と洗浄槽２の間のシール構造、ならびに上扉４および下扉５間のシール構造を示すものである。なお、扉の連動開閉機構については実施の形態２に示したものを用いている。
上扉４および下扉５と洗浄槽２の間のシール構造は、ゴム材料からなるシール部材３４が洗浄槽２の開口部周辺部に張り巡らされている。シール部材３４は、図１４ないし図１６に詳細な断面形状が示されている。
【００４６】
図１４は、上扉４と洗浄槽開口部３の上辺部におけるシール構造を示すものであり、この上辺部では、実施の形態３で説明したように上扉４の上辺部に設けられた第２の扉側凸状部３２がシール部材３４に密着してシールする。シール部材３４のシール部断面は、上辺部では下向きの略逆Ｕ字状に形成されている。
図１５は、下扉５と洗浄槽開口部３の下辺部におけるシール構造を示すものであり、この下辺部では、シール部材３４は板状に形成されており、洗浄槽２の底板部より前面側に傾斜状に設けられた下扉受け部３６と下扉５の下辺部との間に挟み込まれるようにしてシールしている。
図１６は、上扉４と洗浄槽開口部３の側辺部におけるシール構造を示すものであり、この側辺部では、シール部材３４は断面が横向きの略逆Ｕ字状に形成されたシール部を有し、上扉４に縦方向に設けられた段部３７に密着してシールしている。また、下扉５については図示していないが、同様のシール構造である。
このように、シール部材３４は、シール部の断面形状を連続的に変化させた形態となっている。
【００４７】
図１７は、上扉４と下扉５の合わせ部におけるシール構造を示している。扉が開くときには、先に下扉５が開き、遅れて上扉４が開くようになっている。扉が閉じるときにはこの逆で、先に上扉４が閉じ、遅れて下扉５が閉じるようになっている。そこで、上扉４と下扉５の間には互いに重なり合う重合部３８、３９が設けられており、これら重合部３８、３９の間に略Ｕ字状のシール部断面を持つシール部材４０が装着されシールするようになっている。
【００４８】
この実施の形態４の食器洗浄機によれば、洗浄槽２と上扉４、下扉５間の水密性、ならびに上扉４と下扉５の扉どうしの水密性が十分に確保されており、洗浄槽２と上扉４の上辺部については実施の形態３と同様の水密性を確保できる。
【００４９】
本発明における扉の開閉機構についてリンク機構のものを説明したが、リンク機構のものに限定されるものではない。例えば、第２のリンク１２を回転させる手段として、第１のリンク１１に代えて、第２のリンク１２と下扉アーム１４との間にワイヤを引き回すようにすることもできる。また、上扉４に第１の移動成分および第２の移動成分を与える手段として、カムフォロアとカム溝を用いることもできる。
【図面の簡単な説明】
【００５０】
【図１】本発明の実施の形態１を示す食器洗浄機の扉閉鎖状態の外観斜視図である。
【図２】実施の形態１における食器洗浄機の扉開放状態の外観斜視図である。
【図３】実施の形態１における食器洗浄機の右側面図である。
【図４】実施の形態１における扉の連動開閉機構を示す右側面の内部構造図で、（ａ）は扉閉鎖時、（ｂ）は扉開放時の状態を示す構造図である。
【図５】実施の形態１における扉と連動開閉機構の動作説明図で、（ａ）は扉閉鎖時の動作説明図、（ｂ）は上扉および下扉の開放途中状態を示す動作説明図である。
【図６】実施の形態１における扉の連動開閉機構の動作を模式的にあらわした動作説明図である。
【図７】本発明の実施の形態２を示す食器洗浄機の右側面の内部構造図で、（ａ）は扉閉鎖時、（ｂ）は扉開放時の状態を示す構造図である。
【図８】実施の形態２における扉の連動開閉機構の動作を模式的にあらわした動作説明図である。
【図９】実施の形態２における扉閉鎖時の力の釣り合い関係を示す説明図である。
【図１０】本発明の実施の形態３を示す食器洗浄機の扉の連動開閉機構の模式図（ａ）とシール部の部分詳細図（ｂ）である。
【図１１】本発明の実施の形態４を示す食器洗浄機の正面図である。
【図１２】図１１のＡ−Ａ断面図である。
【図１３】図１１のＢ−Ｂ断面図である。
【図１４】図１２のＣ部の拡大断面図である。
【図１５】図１２のＤ部の拡大断面図である。
【図１６】図１３のＥ部の拡大断面図である。
【図１７】図１２のＦ部の拡大断面図である。
【符号の説明】
【００５１】
１  食器洗浄機本体、２  洗浄槽、３  開口部、４  上扉、５  下扉、６  扉ロック解除ボタン、７  ロック爪、８  ロックガイド、１０、１０Ａ  連動開閉機構、１１  第１のリンク、１２  第２のリンク、１３  回転支点、１４  下扉アーム、１５  支点、１６  支点、１７  支点、１８  上扉支持アーム、１９  支点、２０  ストッパ、２１  洗浄槽天井部、２２  開口面、２３  凹状部、２４  凸状部、２５  シール部、２６  支点、２７  第３のリンク、２８  引っ張りばね、２９  荷重部、３０  摺動部材、３１  第１の扉側凸状部、３２  第２の扉側凸状部、３３  洗浄槽側凸状部、３４  シール部材、３５  水落とし用突起、３６  下扉受け部、３７  段部、３８、３９  重合部、４０  シール部材。
【図１】
2006255277.tif 000003
【図２】
2006255277.tif 000004
【図３】
2006255277.tif 000005
【図４】
2006255277.tif 000006
【図５】
2006255277.tif 000007
【図６】
2006255277.tif 000008
【図７】
2006255277.tif 000009
【図８】
2006255277.tif 000010
【図９】
2006255277.tif 000011
【図１０】
2006255277.tif 000012
【図１１】
2006255277.tif 000013
【図１２】
2006255277.tif 000014
【図１３】
2006255277.tif 000015
【図１４】
2006255277.tif 000016
【図１５】
2006255277.tif 000017
【図１６】
2006255277.tif 000018
【図１７】
2006255277.tif 000019